Podtech/llm-jp-corpus-v4-ja_patent huggingface dataset:
(57)【要約】      （修正有）【課題】より有効でより便利な介護ベットの提供。【解決手段】介護ベットの長軸の片側に、一方の端を回転軸で固定した長くて巾広い頑丈なサイドテーブルＢを設ける。【選択図】図１
0003119055.tif 000002
【実用新案登録請求の範囲】
【請求項１】
介護ベットの長軸の片側にあって、一方の端を回転軸で固定した長くて巾広い頑丈なサイドテーブル
【考案の詳細な説明】
〔産業上の利用分野〕
環境、衛生上に関するものである。
〔従来の技術〕
【０００１】      人には睡眠、休養は大切なものであり、その為のベットも重要な役目を果たしてきた。安全で気持ちよく丈夫で便利なようにと色々工夫されてきたのである。材料も木、金属、プラスチック等があり、機能も上半身が上下に、又下半身が上下に動くものがあり、周りに柵や点滴用の棒があったり、又マットも布、金属、プラスチックと多種多様な材料が用いられている。
〔本案が解決しようとしている課題〕
【０００２】      呼吸困難、例えば気管支喘息、心臓喘息でしばしば発作がおきて呼吸困難を起こす時があるが、その時、体を前かがみにして、体重を前にかけると呼吸が少しでも楽になる事がある。そのような時は布団を高く積んで体重を前かがみにするのであるが、そのときもっと簡単に、且つ体重を支えてくれるものがあれば、甚だたすかるのである。
【課題を解決するための手段】
【０００３】      そこでそのとき頑丈なテーブルを前に置けばその役目を果たす事ができるのである。体重を十分支える為には丈夫で、巾広く適度に長い事が求められる訳である。
【０００４】      そしてそのテーブルは回転軸によって支えられた物で、回転軸を軸にベットの横に位置すれば、ベットのサイドテーブルとして用いる事も出来るのである。又食事の食卓としても用いられても便利である。体重を十分支える為には、丈夫で巾広く、適度に長い事が必要であるのである。
【実施例】
【０００５】      巾３０ｃｍ、長さ４０ｃｍの丈夫な板の先端に回転軸をつけ、その回転軸を支える下側の部分は、ベットから２本の柱をつけ、横軸にも２本の柱をつけ、その中に回転軸を固定するのである。小テーブルはべっとの横に位置すれば、サイドテーブルの役目をし、回転してベットの上におけば食卓用となる。又呼吸困難の時には体を伏せて看護用となるのである。
【考案の効果】
【０００６】  大きなサイドテーブルは、物を置くのに便利である。又回転して食事用にも便利である。又呼吸困難時には体を伏せるのにも好都合である。
構造は簡単、作成は容易安価である。
【図面の簡単な説明】
【０００７】
【図１】              斜位図
【図２】              正面図
【図３】              側面図
【図４】              水平面図
【符号の説明】
Ａ．．．．．．．．．．．．．．．．．ベット
Ｂ．．．．．．．．．．．．．．．．．小テーブル
Ｃ．．．．．．．．．．．．．．．．．回転軸
Ｄ．．．．．．．．．．．．．．．．．立柱
Ｅ．．．．．．．．．．．．．．．．．横柱
【図１】
0003119055.tif 000003
【図２】
0003119055.tif 000004
【図３】
0003119055.tif 000005
【図４】
0003119055.tif 000006
(57)【要約】      （修正有）【課題】パンチとしてのドリル刃５をホルダー本体３に容易に取り付けることができ、そのドリル形状により、押しつけ反力や摩擦力を低減することができ、厚紙や多数枚の紙類、プラスチックボード（ケース）などの穴あけ加工をすることが可能なドリル刃ホルダーの提供。【解決手段】ドリル刃５をロックネジ４、４にて取着したホルダー本体３のテーパー部２をタレット１に着脱可能に嵌着てなる。【選択図】図１
0003119059.tif 000002
【実用新案登録請求の範囲】
【請求項１】
事務用回転パンチにおいて、セッティング用タレット１にドリル刃５をロックネジ４によって、着脱可能に取着したことを特徴とするドリル刃ホルダー。
【請求項２】
ドリル刃５を２ヵ所のロックネジ４、４によって固定するようにしたことを特徴とする請求項１記載のドリル刃ホルダー。
【考案の詳細な説明】
【技術分野】
【０００１】  本考案は、事務用回転パンチのドリル刃ホルダーに関するもので、特に厚紙や積層紙、プラスチックボード等の硬い材質の部材に穴あけを行う場合、所定寸法のドリルをロックネジによって容易に取り付けることを可能にしたパンチ刃ホルダーである。
【背景技術】
【０００２】  従来、事務用回転パンチは専ら紙用であり、多数枚の紙や硬いプラスチックボード等に変形を伴わず穴を開けることは困難であった。
【考案の開示】
【考案が解決しようとする課題】
【０００３】  通常広く用いられている卓上の簡易剪断パンチは、専ら紙用に限られ、しかも適用枚数が極めて制約されて、一定枚数以上では手動々作で穴あけ作業をすることは全く不可能である。【０００４】  また、多数枚の紙やプラスチックボード（ケース）等に従来の事務用回転パンチで穴を開けることはできなかった。それは、刃先がパンチ用であり、押しつけ反力が大きくなることと、刃本体がストレートに加工されていて摩擦力が大きくなり、さらに切りくずの影響でパンチに異常なトルクがかかり、スムーズな回転駆動ができず、また、心振れにより真円とならず変形する等の欠点があった。このような欠点を除いた取り替え容易な穴あけ冶具が安価に提供されることが望まれていた。
【課題を解決するための手段】
【０００４】  本考案の事務用回転パンチ刃ホルダー６は、ドリル刃５をロックネジ４、４にて取着したホルダー本体３のテーパー部２をタレット１に着脱可能に嵌着てなる。
【考案の効果】
【０００５】  すなわち本考案に係る事務用回転パンチ刃ホルダー６は、パンチとしてのドリル刃５をホルダー本体３に容易に取り付けることができ、そのドリル形状により、押しつけ反力や摩擦力を低減することができ、厚紙や多数枚の紙類、プラスチックボード（ケース）などの穴あけ加工をすることが可能となった。
【考案を実施するための最良の形態】
【０００６】  先ず、本考案の要旨とするところは、事務用回転パンチ刃ホルダー６において、取付け用タレット１のテーパー部２に専用ドリル刃５を２カ所のロックネジ４、４で固定したホルダー本体３を嵌入定着することにより構成されている。
【実施例１】
【０００７】  事務用回転パンチ刃ホルダー６で、２ミリの厚紙を５枚重ねにしたボードに穴を開けた場合、パンチの回転に負荷がかかり、穴を開けることができなかった。【０００８】  また、事務用回転パンチ刃ホルダー６で、２ミリの厚紙を５枚重ねにして穴を開ける場合、φ６ミリのドリル刃５を１カ所のロックネジ４で固定したホルダー６をタレット１にセットして穴開けを行ったが、固定部が長く、偏心して、６．１ミリの穴が開いた。【０００９】  前記回転パンチ刃ホルダー６で、２ミリの厚紙を５枚重ねにしたボードに穴を開けた場合、φ６ミリのドリル刃５を２カ所のロックネジ４、４で固定したホルダー６をタレット１にセットして穴を開けたが、特に偏心もなくきれいにφ６ミリの穴を開けることができた。
【産業上の利用可能性】
【００１０】  本考案は、事務用回転パンチ刃ホルダーに関するもので、特に厚紙やプラスチックボード（ケース）等の硬い材質に穴をあける場合、所定寸法径のドリルをロックネジによって容易に取り付けることを可能にした事務用回転パンチ刃ホルダーである。
【図面の簡単な説明】
【００１１】
【図１】  本考案回転パンチホルダーの一部切欠縦断面図。
【符号の説明】
【００１２】１  タレット
２  テーパー
３  ホルダー本体
４  ロックネジ
５  ドリル刃
６  パンチ刃ホルダー
【図１】
0003119059.tif 000003
(57)【要約】      （修正有）【課題】片手で簡単に上げ下げが出来る底の形状を備えた器の提供。【解決手段】器の底に切り込み２を設ける。切り込みは、指が挿入できる大きさとする。切り込みがある分、器本体の底面との距離が短くなる為、切り込みの内側に厚みを持たせて、熱伝導を抑える。片手で持ち上げる事を更に容易にする為に、滑り止めを設ける。この事により余分な力を使わなくても済むようになる。【選択図】図１
0003119058.tif 000002
【実用新案登録請求の範囲】
【請求項１】
上部が解放状に形成され、食品などを収容する為に上面が開口しており、筒状あるいは台形状の高台部が一体的に形成されている器の底部に切り込みを設けて、接地面との間に開口部を設け、器底部の形状が略楕円又は略長円形に切り抜かれた形状を成し、底部内側を肉厚構造として熱の伝導を抑える構造を成すことを特徴とする器
【請求項２】
上部が解放状に形成され、食品などを収容する為に上面が開口しており、筒状あるいは台形状の高台部が一体的に形成されている器の底部に切り込みを設けた請求項１の切り抜かれた開口部の外周に小さな半円形の突起を複数設置した形状を成す事を特徴とした器
【考案の詳細な説明】
【技術分野】
【０００１】本発明は器に係り特に簡単に上げ下げが出来る底の形状を備えた器
【背景技術】
【０００２】従来の器の底の形状は、図３に示すように、接地面に対して隙間が無く器を持ち上げる際には、一度器を傾けてから指を入れて持ち上げる必要があった。仮に隙間が合ったとしても、それは水切れ性を改善する為に設けられたものである。また、衛生的に使用する事を目的として常に同じ場所に指が触れる事を目的としているものもあるが、開口部に設けたでっぱりが邪魔になる事と、高台部分に対する熱伝導対策がなかった。【０００３】
【特許文献１】特開平１１−２９９６２０  特開平１１−４７４２
【考案の開示】
【考案が解決しようとする課題】
【０００４】しかしながら上記の構造では、両手を添えて器を持ち上げる際、片手に箸などを持っていると取扱が不便である。片手で器を持ち上げる場合、器の上部をつかみ上げるか、ふちに指をかけて持ち上げることしかできず、熱いものや重たいものが器に入っていた場合、不安定であり作法上好ましくない持ち方になってしまう。特に子供や片手を不自由にされている方、介護を必要としている方には持ち上げること自体が面倒であり、困難である
【課題を解決するための手段】
【０００５】以上の課題を解決する為に、第一発明は底に切り込みを設けて、片手で簡単に器を持ち上げる事を可能とした特徴を有する器である。
また、切り込みの内側に厚みを加える事により、熱伝導を抑える特徴をもつ器である。
更に、第二発明は、切り込みの外側に滑り止め効果を目的とした、半円形の突起を設けた特徴をもつ器である。
【考案の効果】
【０００６】第一発明によれば、底の切り込みに指を挿入してから器を持ち上げるので、片手で簡単に器を持ち上げる事が出来る。
また、切り込みの内側が厚くなっているため、熱いものが器に入っていても、もち手が熱くならない。
第二発明によれば、半円形の突起を設けた為、器が滑りにくく非常に持ちやすい。
更に、器を持ち上げる際の力を軽減する事も出来る。
【考案を実施するための最良の形態】
【０００７】器本体１の底に切り込み２を設ける。
切り込み２の内側は厚み３が設けられている。
切り込み２の外側は半円形の突起４が設けられている。
【実施例】
【０００８】切り込み２により底とテーブルなどの接地面に隙間が出来ているので、この隙間に指を挿入してから器を持ち上げる。
切り込み２の内側の器本体１の底面に厚み３を設ける事により器本体１に指が接近していても熱が伝導しない。
切り込み２の外側の指が引っかかる部分に半円形の突起４が設けてあり、指が滑りにくい。
【図面の簡単な説明】
【０００９】
【図１】実施形態を示す正面図である
【図２】実施形態を示す底面図である
【図３】従来技術を示す正面図である
【符号の説明】
【００１０】１  器本体      ２  切り込み      ３  肉厚部分      ４  突起
【図１】
0003119058.tif 000003
【図２】
0003119058.tif 000004
【図３】
0003119058.tif 000005
(57)【要約】【課題】  製造などで状況に応じて設備の配置を変更する場合に、容易に狙った位置や方向に移動できるようにするための台車である。【解決手段】  本考案は移動させたいと床との隙間に本考案の棒材１０を設備の重量、長さ、形状に合わせて複数本通し、棒材１０の両端を本考案の台車１の昇降部４の開口部８に通して架ける。昇降部４には昇降ネジ５で吊り下げられており、ハンドル６を回すことで棒材１０が上昇する。  棒材１０が上昇すると棒材１０に設備１１は持ち上げられることになる。この状態で自在車輪３にて目的の位置と方向に移動することができる。  設備１１を降ろす方法はハンドル６を反対方向に回すと降下し設備１１は床に設置される。設置後には棒材１０を外すことで移動は容易に行える。【選択図】    図１
0003119041.tif 000002
【実用新案登録請求の範囲】
【請求項１】
複数の自在車輪を設けた台車に昇降機能を設け、当該昇降機能部分には棒材を架ける構造を設け、棒材を架けられる部分は棒材のたわみを吸収する揺動部を設け、棒材の部分に移動したい物を積載できることを特徴とする移動台車
【考案の詳細な説明】
【技術分野】
【０００１】  本考案は、設備を自在に移動するための移動台車に関するものである
【背景技術】
【０００２】  製造などで新規または状況に応じて設備の配置を変更する場合にて、ジャッキで設備を持ち上げて別の台車に載せて移動していた。
【考案の開示】
【考案が解決しようとする課題】
【０００３】  製造などで新規または状況に応じて設備の配置を変更する場合にて、床に設置してある状態から浮かせて狙った位置に移動し、再度、床に設置しなければならない。
設備を浮かせる場合は並行に上昇しなければねじりが生じて設備の精度が損なわれたりする。ジャッキで持ち上げるにしてもジャッキが入る隙間がなかったり掛ける構造が無い場合は設備もジッャキも破損する場合もある。
また、制御部分がケーブルでつながれて本体機器と別々の場合は接続配線を外し移動後に再接続するなど工事の負担が大きくなる。
移動する場合は、重量物であると移動負荷が大きく精度良く狙った位置や方向に設置しにくい。狭い場所では移動のための機器、例えばフォークリフトやパレット用リフトでは移動機器自体が大きいため不可能である。
移動後の設備のレベル合わせも床のひずみと移動機器の下げ方で設備にひずみが生じやすく、思考錯誤で時間がかかる。
さらに、設備の重量や大きさが大きいと移動機器が使えない場合がある。
【課題を解決するための手段】
【０００４】  本考案は複数の自在車輪の間に昇降機能を設けた台車と、その台車を複数個用いて昇降機能部分に棒材を架けて、台車同士を連結し棒材の上に設備を乗せることができる構造とした。これにより課題が解決できる。
【考案の効果】
【０００５】  上述のように、本考案の移動台車は自在車輪と昇降機能と棒材で移動させたい設備を歪ませることなく昇降でき、床下の狭い設置状態の設備も棒材が入れば移動できる。また、長い設備や重量が重い設備でも台車と棒材を加えていくことで対応できる。制御機器と本体機器を配線を外すことなくそれぞれを同時に昇降させて移動できるため工事期間を大きく短縮できる。
さらに、狭い場所でも移動の場合の取り付けや移動後の取り外しも個々の台車本体や棒材が分解できるため移動が可能となる。
【考案を実施するための最良の形態】
【０００６】  移動させたい設備と床との隙間に本考案の棒材を設備の重量、長さ、形状に合わせて複数本通し、棒材の両端を本考案の台車の昇降機能部分に架ける。昇降機能はハンドルにより上昇し棒材を持ち上げる。棒材が上昇すると棒材に設備は持ち上げられる。この状態で自在車輪にて目的の位置と方向に移動することができる。設備を降ろす方法はハンドルを反対方向に回すと降下し設備は床に設置される。設置後にには棒材と設備は離れ、外すことで移動は完了する。
【実施例】
【０００７】  以下、添付図面にしたがって実施例を説明する。１は台車全体を示す。２は台車本体で３ａ、３ｂ、３ｃ、３ｄは台車本体に取り付けた自在車輪である。４は昇降部であり、５の昇降ネジにより吊り下げられている。６は雌ネジ部があるハンドルであり５の昇降ネジが通っていて、軸受け７により支えられている。
４の昇降部には開口９が設けられていて棒材１０が架かるようになっている。【０００８】  台車１は基本的に２個以上使用し、設備１１をはさんで同様に台車１を設置し棒材１０を設備１１の下に通し同様に昇降部４の開口部８に架けて、棒材１０の両端が双方の台車１に同様に架かる。【０００９】  ハンドル６を回すことで昇降部４により棒材１０が上昇し、これにより移動したい設備１１が上昇する。設備１１が床から浮いた状態をつくることができる。上昇した場合は自在車輪３にて設備１１を移動できる。棒材１０のたわみ角は揺動部９により吸収し台車１の破損防止と移動の安全性を向上させる。【００１０】  ハンドル６を逆に回すことで昇降部４により、棒材１０が下降しこれにより設備１１は床に設置される。棒材１０を外し移動を完了する。
【図面の簡単な説明】
【００１１】
【図１】  本考案の斜視図
【図２】  台車の正面図
【図３】  設備が床についている状態図と浮いている状態図
【符号の説明】
【００１２】    １  台車全体
２  台車本体
３  自在車輪
４  昇降部
５  昇降ネジ
６  ハンドル
７  軸受け
８  開口部
９  揺動部
１０  棒材
１１  設備
【図１】
0003119041.tif 000003
【図２】
0003119041.tif 000004
【図３】
0003119041.tif 000005
(57)【要約】      （修正有）【課題】手軽に、場所も取らず、安定した状態でまくらを干す事ができるハンガーの提供。【解決手段】ハンガー状のバー（１）を物干し竿等に掛けて吊るし、網状のシート（３）の中間点にまくらの底辺がくる様に位置を合わせ、紐（２）（２）を折り上げ固定用フック（４）（４）を、固定用リング（５）（５）に掛ける事により、紐（２）（２）及び網状のシート（３）が程よくまくらを包み手軽に、場所も取らず、安定した状態でまくらを干せるので、今まで悩んできたまくらの干し方を解決する役に立つ。【選択図】図２
0003119048.tif 000002
【実用新案登録請求の範囲】
【請求項１】
物干し竿等に掛けて吊るせる様に、フックの付いたハンガー状のバー（１）に、紐（２）（２）を取り付け、その紐（２）（２）の中間に、網状のシート（３）を取り付ける、紐（２）（２）の先端に固定用フック（４）（４）を、紐（２）（２）の根元に固定用リング（５）（５）を取り付けた、まくら干しハンガー。
【請求項２】
紐（２）（２）の中間点の裏側に、紐（６）（６）を取り付け、その紐（６）（６）の中間にも網状のシート（３）を取り付ける、紐（６）（６）の先端にも固定用フック（４）（４）を、紐（６）（６）の根元にも固定用リング（５）（５）を取り付けた、請求項１記載のまくら干しハンガー。
【考案の詳細な説明】
【技術分野】
【０００１】  本考案は、まくらを安定した状態で、手軽に干す事が出来る様に、ハンガー状のバーに紐を２本取り付け、その紐の中間に網状のシートを取り付けたまくら干しハンガーに関するものである。
【背景技術】
【０００２】  従来より、まくらを干す場合は、手軽で便利な干し具が無く、各々工夫を凝らして干していた、たとえば、ベランダ手摺のコーナー部にうまくバランスをとって置くか、縁側に雑然と置くか、またはベランダ内にわざわざまくら干し用の台を置き干していた、稀に布団はさみ兼用枕の干し具を使用し、干していた。
【考案の開示】
【考案が解決しようとする課題】
【０００３】  イ，まくらは布団同様、頭から出る汗や脂を吸い取る為、衛生面を考え、頻繁に日光に当てて殺菌と消毒をする必要がある。
ロ，ベランダ手摺のコーナー部の場合、うまくバランスを取ったつもりでも風が吹いたり、体が触れたりした拍子に、落下してしまい不安定である。
ハ，縁側に干す場合、見栄えも悪く、来客時は邪魔になる、最近では縁側のある家は珍しく、一般的ではない。
ニ，ベランダ内に置くまくら干し用の台では、狭いベランダが余計狭くなり邪魔である。
ヘ，布団はさみ兼用枕の干し具は、布団と同時に干さなければ、支持力が得られず、安定性が無いので、手軽にまくらのみ干したい場合は不便である。
本考案は、以上の欠点を解決しようとするものである。
【課題を解決するための手段】
【０００４】  本考案は、物干し竿等に掛けて吊るせる様に、フックのついたハンガー状のバー（１）に一定の長さを持つ紐（２）（２）を取り付け、その紐（２）（２）の中間にまくらを包める程の長さと幅を持つ網状のシート（３）を取り付ける、紐（２）（２）の先端に固定用フック（４）（４）を、紐（２）（２）の根元に固定用リング（５）（５）を取り付ける、固定用フック（４）（４）を固定用リング（５）（５）に掛ければ、紐（２）（２）及び網状のシート（３）がまくらを包み、安定した状態かつ簡単にまくらを干す事が出来る、また、紐（２）（２）の中間点の裏側に紐（６）（６）を取り付け、その紐（６）（６）の中間にも網状のシート（３）を取り付ける、紐（６）（６）の先端にも固定用フック（４）（４）を、紐（６）（６）の根元にも固定用リング（５）（５）を取り付ければ、まくら２つ干し用のまくら干しハンガーも出来、場所をとらないので問題を解決している。
【考案の効果】
【０００５】  上述の様に、本考案のまくら干しハンガーは、ハンガー状のバー（１）を物干し竿の他、突起のある所なら何処にでも掛けられ、紐（２）（２）及び網状のシート（３）で包んでいるので、風が吹いたり体が触れたりしても、容易にまくらが落下せず、見栄えも良い上、ベランダに余計な台を置き狭くする事も無く、洗濯物同様手軽に干す事が出来、とても衛生的であり便利である。
【考案を実施するための最良の形態】
【０００６】  本考案は、ハンガー状のバー（１）を物干し竿等に掛けて吊るし、網状のシート（３）の中間点にまくらの底辺がくるよう位置を合わせ、紐（２）（２）を折り上げ、固定用フック（４）（４）を固定用リング（５）（５）に掛ければ、紐（２）（２）及び網状のシート（３）が程よくまくらを包み、安定した状態でまくらを干せる。
２つ干し用を使う場合は、紐（６）（６）を使用し、上記の手順で干せば場所も取らない。
【実施例１】
【０００７】  以下、添付図面に従って実施例を説明する、（１）は物干し竿等に掛けて吊るせる様にフックの付いたハンガー状のバー、（２）（２）は一定の長さを持つ紐、（３）は一定の長さと幅を持つ網状のシート、（４）（４）は紐（２）（２）を固定する為のフックで、（５）（５）の固定用リングに掛けて使用する、材質は、ペットボトル等のリサイクル材を使用すれば、環境への配慮にもなり、ハンガー状のバー（１）の形状も自由に造ることが出来る。
【実施例２】
【０００８】  （６）（６）は紐（２）（２）の中間点の裏側に付けた紐、網状のシート（３）、固定用フック（４）（４）、固定用リング（５）（５）を併せ持ち、２つ干し用のまくら干しハンガーとして使う。【０００９】  本考案の実施例は、上述の如き構成からなるものであるから、手軽にまくらを干せ、一般住宅のベランダ、マンション等集合住宅のベランダ、また、極端に狭い単身者用のベランダにも対応出来、家族構成に合わせ、１つ干し用と２つ干し用を使い分け、または組み合わせて使う事が出来、場所も取らず大変便利である。
【図面の簡単な説明】
【００１０】
【図１】  本考案の実施例１を示す斜視図である。
【図２】  本考案の実施例２を示す斜視図である。
【符号の説明】
【００１１】  １，ハンガー状のバー
２，紐
３，網状のシート
４，固定用フック
５，固定用リング
６，紐
【図１】
0003119048.tif 000003
【図２】
0003119048.tif 000004
(57)【要約】      （修正有）【課題】ダニの捕獲効果を高めるために、粘着剤とダニ誘引剤を個別に配した粘着式ダニ捕獲シートを提供する。【解決手段】上部シート１、誘引剤２、中シート３、粘着剤４下部シート５からなる積層シートである。積載方法としては、下部シート５上に粘着剤４を積載し、その上へ順に中シート３、誘引剤２、上部シート１と積載する。更に、全体を包み込んだ状態の上部シート１と下部シート５の周囲を縫合わすることにより、粘着力とダニ誘引力を低下させることなく高いダニ捕獲効果を維持できる。【選択図】図２
0003119028.tif 000002
【実用新案登録請求の範囲】
【請求項１】
粘着剤（４）とダニ誘引剤（２）が、中シート（３）を隔てて配置され、その全体を孔状部分が大きい上部シート（１）と下部シート（５）で覆った粘着式ダニ捕獲シート。
【考案の詳細な説明】
【技術分野】
【０００１】  この考案は、粘着剤を用いてダニを捕獲するシートに関するものである。
【背景技術】
【０００２】  従来、ダニを捕獲するための粘着シートは、粘着剤とダニ誘引剤が混練された構造のもの、あるいは粘着剤上に誘引剤が直接散りばめられるという構造のものになっていた。
【考案の開示】
【考案が解決しようとする課題】
【０００３】  これは、つぎのような欠点があった。
従来、ダニを捕獲するための粘着シートは、その構造として不織布などを基材とするシート物に、粘着剤とダニ誘引剤を混練して塗布した構造のもの、あるいは同じく基材とするシート物に先に粘着剤のみを塗布し、その塗布面にダニ誘引剤を直接散りばめるという構造のものであった。
しかし、粘着剤とダニ誘引剤を混練する方法では、ダニ誘引剤が粘着剤に包み込まれる形になるため、本来のダニを誘引する効力が大きく低下してしまい、また粘着剤の塗布面に後工程としてダニ誘引剤を直接散りばめる方法では、ダニ誘引剤が付着した部分の粘着剤の粘着効力が大きく低下してしまっていた。
このように、従来の構造では粘着剤とダニ誘引剤がその本来の効果・効力を互いに低下させてしまうという構造になっていた。
本考案は、以上のような構造の欠点を失くすためになされたものである。
【課題を解決するための手段】
【０００４】  本考案は上記課題を考慮し、粘着剤（４）とダニ誘引剤（２）を中シート（３）で隔て、それぞれを個別に配置することにより、その粘着力及びダニ誘引力を低下させずにダニが捕獲できることを特徴とする。
このように本考案は、上記の構造的課題を解消する構造をもつ粘着式ダニ捕獲シートである。
粘着剤やダニ誘引剤を包み込む上部シート（１）及び下部シート（５）としては、ダニが潜り込めるほどの大きな孔状部のあるシートとした。
【考案の効果】
【０００５】  本考案は、粘着剤とダニ誘引剤を、シートで隔てて個別に配置しているので、その効果を互いに低下させることなく、ダニを捕獲することができる。
【考案を実施するための最良の形態】
【０００６】  以下、本考案を実施するための最良の形態について図１と図２に基づいて説明する。本考案は、上部シート（１）、誘引剤（２）、中シート（３）、粘着剤（４）下部シート（５）からなる積層シートであり、図１は断面図で図２は平面図である。積載方法としては、下部シート（５）上に粘着剤（４）を積載し、その上へ順に中シート（３）、誘引剤（２）、上部シート（１）と積載する。更に、全体を包み込んだ状態の上部シート（１）と下部シート（５）の周囲を縫合することにより、粘着力とダニ誘引力を低下させることなく高いダニ捕獲効果を持続できる。
本考案は以上のような構造で、これを使用するときは、住居においてダニが生息していそうな場所に設置し、使用期間経過後にダニを集めた粘着式ダニ捕獲シートを処分すればよい。
【実施例】
【０００７】  ジュウタンの下、布団の下、ベットの下、押入れの中、ペット用マットの下、ソファーの下、畳の裏、キッチンマットの下、車のシートの下
【産業上の利用可能性】
【０００８】  布や不織布などで同サイズの上部シートと下部シートを作成し、更にそれよりもひと回り小さなサイズの両面粘着シートと中シートを作成する。この中シートも布や不織布でよい。それぞれのサイズにカットされたものを順番に積載していく。順番としては、下部シートの上に粘着シートを敷き、その上に中シートを敷く。次にその中シート上に誘引剤を設置してから、上部シートを被せる。最後に、これら積載された状態のものの周囲を縫合する。このような工程で、事前にそれぞれのものを定めたサイズにカットしておくことにより量産ができる。
【図面の簡単な説明】
【０００９】
【図１】  本考案の断面図である。
【図２】  本考案の平面図である。
【符号の説明】
【００１０】  １    上部シート
２    誘引剤
３    中シート
４    粘着剤
５    下部シート
【図１】
0003119028.tif 000003
【図２】
0003119028.tif 000004
(57)【要約】      （修正有）【課題】液体を受ける容器Ｂ（以下容器Ｂ）に移動させる場合でも、液体の流れを任意に停止する事ができ、液体移動器具に余った液体は、別の容器に移動する事ができ、漏斗には常に満杯の液体を入れておく事ができる流出制御片手漏斗の提供。【解決手段】流出制御片手漏斗を利用し、クリップ（１）を下運動させる事によって、クリップ（１）に固定された番線（４）が上下し、ワイヤー（５）に伝った力が、栓球（７）を上下運動させる事で、栓球（７）の直径よりも小さな径の液体流出穴Ｂ（９）と、栓球（７）の直径よりも大きな径の液体流出穴Ａ（８）の間で、栓球（７）が上下運動する事で、液体流出穴Ａから流出する液体の量や、液体流出穴の開閉を手動、尚且つ片手で、任意に制御する。【選択図】図１
0003119022.tif 000002
【実用新案登録請求の範囲】
【請求項１】
握りハンドル（２）に、クリップ（１）が固定され、クリップ（１）にワイヤー（５）が固定され、ワイヤー（５）に栓球（７）が固定された構造的特徴を持ち、クリップ（１）は、握りハンドル（２）を持ったまま、握りハンドル（２）を持ったのと同じ手の指で、栓球（７）を上下運動連動する事が可能で、クリップ（１）に連動して開閉動作する栓球（７）に、液体流出穴Ｂ（９）を開閉する動作的特徴を持った、片手で持って動作可能な、手動制御ストッパー。
【考案の詳細な説明】
【技術分野】
【０００１】  本発明は、任意の量の液体を、別の容器に移し替えるために、流出量を片手で制御するためのストッパー機構に関する。
【背景技術】
【０００２】  溢れ防止機構を利用して、液体の流れを自動停止動作させるポンプなどの、液体を溢れる寸前で自動停止させる物や、任意の液体量を別容器に移動させるための、一般に軽量ジョッキといわれる、移し替える前に任意の量を計量した上で、液体を別の容器に移動させる器具がある。
【登録番号】
実用新案登録第３０７６９４７号（Ｕ３０７６９４７）
【考案の開示】
【考案が解決しようとする課題】
【０００３】  液体を送る容器Ａ（以下容器Ａ）から、液体を受ける容器Ｂ（以下容器Ｂ）に、液体を移し替える場合、容器Ｂには決まった容量があり、容器Ｂから、移す液体を溢さないようにする為には、容器Ｂの容量以下の液体を事前に計量するか、漏斗に少しずつ入れながら、容器Ｂから溢れない液体量を人為的に目視し、調整する必要がある。
また自動停止機構を持つポンプを使用した場合、ポンプの大型、小型を問わず、基本的には容器Ｂが満たされるまで給油され、利用する人間の都合によって、途中で止めたい場合など、使用し難いという側面を持ち、容器Ｂが満たされた事を利用者が知るためには、電力などを使用したブザーなどが必要になるので、少量の液体を移動させる場合の使用には、高機能すぎる。
またこれら自動停止する機能を持つ機械類は、基本的に、その機械類から利用者が離れても使用できるため、故障が起きた場合や、不慮の事故によって液体が溢れた場合などは、容器Ｂから液体が溢れ出たり、事故を遅延して知る事になる。
そして一般社会で多く見られる事例として、自動給油機などを利用して、利用者が別の作業をした場合、給油している事すら忘れてしまう事が多い。
【課題を解決するための手段】
【０００４】  上記のような問題を解決するために、利用者が、少量の液体を移動させる場合を特に考慮し、尚且つ片手で手動制御できる構造とする事で、もう片方の手を自由に利用できるようにし、液体の流れを止めるためのストッパーを併せ持たせた、漏斗などに付加して利用する本発明を開発した。
本発明、流出制御片手漏斗を利用し、クリップ（１）を下運動させる事によって、クリップ（１）に固定された番線（４）が上下し、ワイヤー（５）に伝った力が、栓球（７）を上下運動させる事で、栓球（７）の直径よりも小さな径の液体流出穴Ｂ（９）と、栓球（７）の直径よりも大きな径の液体流出穴Ａ（８）の間で、栓球（７）が上下運動する事で、液体流出穴Ａから流出する液体の量や、液体流出穴の開閉を手動、尚且つ片手で、任意に制御する事によって、上記の課題を解決した。
液体流出穴Ａと液体流出穴Ｂの、径の大きさの関係を以下の数式に表わす。
液体流出穴Ｂ（９）  ＜  栓球（７）  ＜  絵北液体流出穴Ａ（８）
【考案の効果】
【０００５】  本発明を利用して、液体を受ける容器Ｂ（以下容器Ｂ）に移動させる場合でも、液体の流れを任意に停止する事ができ、液体移動器具に余った液体は、別の容器に移動する事ができるので、漏斗には常に満杯の液体を入れておく事ができる。
また任意に液体の流れを止めることが出来る、本発明の使用により、移動される液体が溢れる無駄を防止し、液体を送る容器Ａ（以下容器Ａ）に戻せない液体などの無駄を省き、電力を使わない事により、二酸化炭素排出量削減に寄与する。
家庭内の台所などの、少量の液体移動にも用途が広がり、今まで天ぷら油の移動などによって溢れさせていた廃油処理を、利用者が目を離さずに行う事ができるため、火災防止などにも寄与する事ができる。
【考案を実施するための最良の形態】
【０００６】  本発明を漏斗などに取り付ける事で、調味料などの液体を移動する場合や、発電機に給油する場合など、液体を移動する時間が比較的短い場合に、利用者が本発明から手を離す事なく、任意の量の液体を移動する場合に、安全に利用する。
【実施例】
【０００７】
【産業上の利用可能性】
【０００８】
【図面の簡単な説明】
【０００９】
【図１】「流出制御片手漏斗の構造を示した平面図である。」
【図２】「流出制御片手漏斗の全体像と、栓球（７）を表わした参考図である。」
【符号の説明】
【００１０】１  クリップ
２  握りハンドル
３  固定ボルト
４  番線
５  ワイヤー
６  液体受ロート
７  栓球
８  液体流出穴Ａ
９  液体流出穴Ｂ
【図１】
0003119022.tif 000003
【図２】
0003119022.tif 000004
(57)【要約】      （修正有）【課題】アイキャッチ効果が高くなり、夜間での危険度も減少する幟用の表示板を提供する。【解決手段】幟２０のポール１０に取り付ける表示板１であって、上部に幟のポール横棒に対する固定部２を有し、側部一方面に幟のポール縦棒に対する回転部３を有し、幟取り付け部とは逆面に取り付けて使用することを特徴とする表示板。またはその表示板の一部、または全部に、反射材４もしくは蛍光材などの視認性に優れた加工が施されていることを特徴とする表示板を考案した。【選択図】図２
0003119027.tif 000002
【実用新案登録請求の範囲】
【請求項１】
幟のポールに取り付ける表示板であって、上部に幟のポール横棒に対する固定部を有し、側部一方面に幟のポール縦棒に対する回転部を有し、幟取り付け部とは逆面に取り付けて使用することを特徴とする表示板。
【請求項２】
前記請求項１の表示板の一部、または全部に、反射材もしくは蛍光材などの視認性に優れた加工が施されていることを特徴とする表示板。
【考案の詳細な説明】
【技術分野】
【０００１】  本考案は、幟のポールに取り付けて使用する表示板に関する。
【背景技術】
【０００２】  従来より各店舗の入り口、またはその周辺部には、店舗の案内、取り扱い商品などを告知するために無数の幟が立てられている。【０００３】  そしてそれらは、色とりどりに風になびきながらアイキャッチ効果をなし、顧客の情報源に役立っている。
【考案の開示】
【考案が解決しようとする課題】
【０００４】  しかしながら近年、安価、簡単で効果の高い幟も、色、デザインなどの工夫は見られるものの、あまりにもその数が多すぎ、アイキャッチ効果も薄れてきていた。【０００５】  また、深夜営業の店舗が増大する中、暗闇での幟は危険物になる可能性もある。
【課題を解決するための手段】
【０００６】  そこでこの課題を解決するために本考案者は、幟のポールに取り付ける表示板であって、上部に幟のポール横棒に対する固定部を有し、側部一方面に幟のポール縦棒に対する回転部を有し、幟取り付け部とは逆面に取り付けて使用することを特徴とする表示板（図１）。またはその表示板の一部、または全部に、反射材もしくは蛍光材などの視認性に優れた加工が施されていることを特徴とする表示板（図２）を考案した。
【考案の効果】
【０００７】  本考案によれば、この表示板でアイキャッチ効果を高めることができ、一本の幟の情報量を増やすことが可能で、暗闇でのアイキャッチ効果も高まり、危険度も減少する。【０００８】  また、上部に幟のポール横棒に対する固定部を有し、側部一方面に幟のポール縦棒に対する回転部を有しているので、幟の風による回転を妨げない。つまり、幟の風による回転方向の常に逆方向に位置することが可能になる。
【考案を実施するための最良の形態】
【０００９】  本考案を実施するための最良の形態は、まず使用する表示板の材質が軽く、危なくないように柔軟性に富み、かつ強い風にも破れない材質であることが必要で、幟とは逆面に取り付けるために風になびかない材質、プラスチックダンボール、ＰＰ板などが最適である。仮に幟と同材質の布地などを使用すると、幟が風になびく際に幟側にひっくり返ってしまうので好ましくない。【００１０】  そして、このような材質だと、表示部は大量生産の場合はスクリーン印刷、多品種小ロットの場合にはカッティングシートと使い分けがきき、色々な表示部が作成できる。【００１１】  また、上部幟ポールの横棒に対する固定部は、ウェルダーなどによる熱融着で作成することができ、側面回転部は旗止め用金具などを使用することができる。【００１２】  ただし、この最良の形態はこの考案を限定するものではないことは言うまでもない。
【図面の簡単な説明】
【００１３】
【図１】  本考案請求項１の幟用ポールへの取り付け図である。
【図２】  本考案請求項２の幟用ポールへの取り付け図である。
【図３】  本考案表示板の平面図である。
【符号の説明】
【００１４】  １    表示板
２    上部固定部
３    側面回転部
４    反射材
１０    幟用ポール
２０    幟
【図１】
0003119027.tif 000003
【図２】
0003119027.tif 000004
【図３】
0003119027.tif 000005
(57)【要約】      （修正有）【課題】収集板部を浮かすことで収集器具を軽い力で押すことができ、収集板部の両端にピンで支持する補助板を付けることで、曲面の地面でも収集版がほぼ地面に添うことができ、作業効率を向上させる。【解決手段】Ｔ型収集器具の収集板部１の両端に車輪４を付けて、収集板部をゴルフボール３がすり抜けない程度に浮かせる。次に、収集板部両端に同様の補助板５を重ね継ぎ足し、その重ね部をピン６で支持して回転できるようにして、収集板と補助板により地面の曲面７に添うようにする。【選択図】図２
0003119061.tif 000002
【実用新案登録請求の範囲】
【請求項１】
地面のゴルフボールを収集するために、板に柄を付けたＴ型収集器具の収集板部の両端に車輪を付け、収集板の下端を地面から浮かすことを特徴とするゴルフボール収集器具。
【請求項２】
地面のゴルフボールを収集するために、板に柄を付けたＴ型収集器具の収集板部の両端に同様の補助板を重ね継ぎ足し、その重ね部をピンで支持して回転できるようにして、収集板部と補助板により地面の曲面に添うようにしたことを特徴とするボール収集器具。
【考案の詳細な説明】
【技術分野】
【０００１】  本考案は、地面に散乱したゴルフボールを効率良く収集する器具に関するものである。
【背景技術】
【０００２】  ゴルフ練習場等で打ち放された無数のゴルフボールを収集するために、各種の装置や器具がある。簡単な器具では、収集板に柄を付けただけのＴ型収集器具がある。このＴ型収集器具は安価であるが効率が悪く改良する必要がある。
【考案の開示】
【考案が解決しようとする課題】
【０００３】  従来のＴ型収集器具を押してゴルフボールを収集するとき、収集板部下端が地面に接するため、地面との接触抵抗等で大きな押す力が必要とする課題がある。また、地面が曲面の場合は、収集板下端に大きな隙間ができボールがすり抜ける課題がある。
【課題を解決するための手段】
【０００４】  この課題を解決するために請求事項１の考案は、Ｔ型収集器具の収集板の両端に車輪を付け同板部下端をゴルフボールがすり抜けない程度に浮かせることである。【０００５】  次に、請求事項２の考案は、Ｔ型収集器具の収集板部下端が曲面の地面にも添うように、収集板部両端に同様の補助板を重ね継ぎ足し、その重ね部をピンで支持して補助板が回転できるようにして、地面の曲面に添うようにすることである。
【考案の効果】
【０００６】  この収集板部を浮かすことで収集器具を軽い力で押すことができ（図１）、収集板部の両端にピンで支持する補助板を付けることで、曲面の地面でも収集板がほぼ地面に添うことができ（図２）、作業効率が著しく向上する。
【考案を実施するための最良の形態】
【０００７】  図１は、従来の収集板１と柄２からなるＴ型収集器具の収集板を浮かすために同板両端に車輪４を付けたものを示す。図２は、地面７の曲面に収集板が添うように収集板部の両端にピン６で支持する補助板５を付けたものを示す。
【図面の簡単な説明】
【０００８】
【図１】  本考案の車輪を付けた状態のゴルフボール収集器具の正面斜視図を示す。
【図２】  本考案の収集板部の両端にピンで支持する補助板を付けたゴルフボール収集器具の正面斜視図を示す。一点鎖線は補助板が回転して曲面の地面に添った状態を示す。
【符号の説明】
【０００９】    １  収集板
２  柄
３  ボール
４  車輪
５  補助板
６  ピン
７  地面
【図１】
0003119061.tif 000003
【図２】
0003119061.tif 000004
(57)【要約】      （修正有）【課題】穴のある筒状の土の焼物小片２個の穴にゴムひもを通して、丸い円状一体を構成。土の焼物のシゲキ共鳴波動と、人の頭の皮膚細胞波動との、シゲキ共鳴波動により、人の頭の皮膚細胞の健康、健全の一助を確保。【解決手段】穴のある筒状の土の焼物小片２個。  その穴にゴムひもを通した丸い円状の一体を構成。【選択図】図１
0003119068.tif 000002
【実用新案登録請求の範囲】
【請求項１】
任意一定の穴のあいている筒状の土の焼物の小片２個に、その穴にゴムひもを通し、任意一定の、丸い円状に一体構成したるもの。
【考案の詳細な説明】
【目的】
【０００１】  人は古いむかしから、土のうえに生き、土の壁に囲まれて、土が創りだす生物を食して、生き暮らしてまいりました。
土のナベ、土の椀を用い、土の波動と共に生きてきました。この土の波動、土の焼物の波動と、人の頭の皮膚細胞波動との、シゲキ共鳴波動を、共に共有し、人の頭の皮膚細胞の健康と、健全への一助を図ることを、目的とするものであります。
【考案の効果】
【０００２】  当、考案は穴のある土の焼物、土の筒状の小片２個の穴に、ゴムひも通して、丸い円状一体のものに、構成されたもので、土の焼物は穴を通したるゴムひもにより、その円状のその円状がいかなる位置にも、定着設定することが可能であります。
人の頭の前と後、左右の側面、亦、前のみ、後ろのみ、右側面、左側面のみと、人の好みの自由な位置に、カンタンに好みのままに、自由に設定することが出来、人の頭の皮膚細胞波動の健康、健全の一助を図ることを確保するものであります。
【図面の簡単な説明】
【０００３】
【図１】  穴のある筒状の土の焼物小片２個に、その穴にゴムひもを通し、丸い円状に一体を構成したもの。
【図２】  穴のある筒状の土焼物小片２個の使用、応用例であります。
【符号の説明】
符号  １．土焼物のある筒状の小片
２．ゴムひも。
【図１】
0003119068.tif 000003
【図２】
0003119068.tif 000004
(57)【要約】      （修正有）【課題】洗濯物が多く干せることと、危険な所に行くことなく、雨降りでは汚さず早く回収できる物干し具を提供する。【解決手段】中空管レール構造にハンガーを設けて、スライド時、ロープの作動で洗濯物が前後に移動することで、解決手段として提供する。【選択図】図１
0003119062.tif 000002
【実用新案登録請求の範囲】
【請求項１】
中空管レールに物干しハンガーを設け、伸縮を特徴とする物干し具。
【請求項２】
物干しハンガーの伸縮をロープで作動することを特徴とする物干し具。
【考案の詳細な説明】
【技術分野】
【０００１】本考案は物干し具に関する。
【背景技術】
【０００２】複数のハンガーが、一定の所に設けている固定方式の物干し具は知られている。
【考案の開示】
【考案が解決しようとする課題】
【０００３】しかしながら、狭い空間のハンガーに掛けて物を乾かすことで、乾きに多くの時間を要することと、物干し具に重さが出来て、特に女性には負担となる欠点がある。
【課題を解決するための手段】
【０００４】本考案はつり下げカーテンレール方式構造のレールに、ハンガーを空間を取りながら設けて、つり下げハンガー伸縮空間時は複数のロープで作動されることで、上記課題を解決するものである。
【考案を実施するための最良の形態】
【０００５】図１に示すように、物干し具は、つり下げカーテンレール方式構造のレールに組み込み、リング形状フックにハンガーを掛ける形態。【０００６】ハンガー空間伸縮するために、前方、後方に引くロープをハンガーに掛け、レール組み込み、リング形状フックに個々に固定される。【０００７】先端のハンガーを手元に寄せる、第二のロープをハンガーに掛け、レール組み込みリング形状フックに固定されることで、第二のロープを引くと先端のハンガーが手元に寄せることが出来る形態である。
【考案の効果】
【０００８】本考案は一定の所にいながら洗濯物干し時、ハンガーの移動だけで危険性のある所に行く事なく洗濯物を干し、雨が降っている時、ロープを引くことで、洗濯物を手元に寄せることで、洗濯物を早く回収出来る。
【図面の簡単な説明】
【図１】本考案に係る物干し具の工程図である。
【符号の説明】
１    主柱（支え柱）
２    中空管レール
３    リングフック
４    ハンガー
５    かっ車
６    ロープ（ハンガーを前後移動させるロープ）
７    第二ロープ（ハンガーを手元に引き寄せるロープ）
８    ロープ方向変更と移動止めフック
【図１】
0003119062.tif 000003
(57)【要約】      （修正有）【課題】地震だけでなく台風などの大きな風圧による建物の揺れや震動も防ぐことができる。【解決手段】平常時建物は、地面に接している基礎底盤（１）の上に建物と一体の盤（２）が自重で圧着しており摩擦により安定性が良く、強風の揺れや震動をおこしずらく、地震発生時基礎底盤（１）と基礎上盤（２）の間に設置された球体（３）に圧力が注入されると、球体（３）が膨張し、基礎底盤（１）より建物と一体の基礎底盤（２）が持ち上がりその間の摩擦抵抗が無くなり、球体（３）の転がりにより地震の揺れを軽減する。【選択図】図２
0003119069.tif 000002
【実用新案登録請求の範囲】
【請求項１】
地震発生時、基礎底盤と基礎上盤の間に設置した球体を膨らませて建物を持ち上げ、その球体の転がりにより地震の揺れを軽減する装置。
【考案の詳細な説明】
【技術分野】
【０００１】  本考案は建物の地震揺れを軽減する装置に関する。
【背景技術】
【０００２】  従来はゴムやベアリングなどの緩衝材を、基礎間に常時挟むように設置し、地震の揺れを逃がし免震効果を得ていた。
【考案の開示】
【考案が解決しようとする課題】
【０００３】  従来は常時ゴムやベアリングなどの緩衝材の上に建物が乗っており不安定な為、台風などの大きな風圧により、揺れや震動を防ぐのが困難でした。
【課題を解決するための手段】
【０００４】  この課題を解決する為、この考案は図１の様に地面に基礎底盤（１）を設け、その上に建物と一体の基礎上盤（２）を乗せ、平常時は緩衝材の影響を受けないため、その自重で基礎間の摩擦により建物を安定させる事が出来る
【考案の効果】
【０００５】  本考案は以上の様な構造で、平常時は図１の様に、基礎底盤（１）の上面に建物と一体の基礎上盤（２）が乗っており、自重による摩擦で建物は強風などにも安定しているが、地震の揺れを感知すると、図２の様にバルブ（５）が開き圧力タンク（４）より圧力が球体（３）に注入され、その球体（３）の膨張により基礎底盤（１）より建物と一体の基礎上盤（２）が持ち上がり、その間の摩擦抵抗が無くなり、地震揺れを球体（３）の転がりにより軽減する。
【考案を実施するための最良の形態】
【０００６】  地面に基礎底盤（１）を設置し、その上面に建物と一体の基礎上盤（２）を乗せ、その間に圧力を注入すると膨張する球体（３）を複数設け、地震時は圧力タンク（４）から揺れを感知すると開くバルブ（５）とホース（６）を介して球体（３）に圧力が注入される様にする。
【図面の簡単な説明】
【０００７】
【図１】  本考案の平常時の断面図である。
【図２】  本考案の地震時球体に圧力が注入された断面図である。
【符号の説明】
【０００８】  １  基礎底盤
２  建物と一体の基礎上盤
３  球体
４  圧力タンク
５  地震揺れを感知して開くバルブ
６  ホース
【図１】
0003119069.tif 000003
【図２】
0003119069.tif 000004
(57)【要約】      （修正有）【課題】部品数が少なく、且つ着実に固定でき、電球の交換及びソケット、ニップル、スプリングワッシャー、六角ナット、コード類等の部品の取付けも簡単且つ安全にできる着脱式台座の提供。【解決手段】照明器具本体の内側に複数の凸部を設け、円形の台座の側面にも同数のＬ字型凹部を設け、装着時には本体の内側に円形の台座を挿入し、半回転させることにより照明器具本体と台座を容易に固定できる。台座の中央部分にニップル、コード類用の開口部を設け、且つ底面に同心の凹部を設け、ソケット、ニップル、スプリングワッシャー、六角ナット、コード等の固定を容易にし、また、これらの露出を防いだ。更に、その両側に台座の着脱を容易にする手がかりを設け、電球の交換、及び部品の取り付けを容易にした。【選択図】図１
0003119067.tif 000002
【実用新案登録請求の範囲】
【請求項１】
照明器具本体の内側に複数の凸部を設け、円形の台座の側面にも同数のＬ字型凹部を設け、本体の内側に円形の台座を挿入し、半回転させることにより固定できる。台座の中央にニップル、コード等用の開口部を設け、且つ底面に同心の凹部を設け、ソケット、ニップル、スプリングワッシャー、六角ナット、コード等の固定を容易にし、また、これらの露出を防いだ。更に、その両側に台座の着脱を容易にする手がかりの凹部を設け、電球の交換、及び部品の取り付けを容易にした照明器具用着脱式台座
【考案の詳細な説明】
【技術分野】
【０００１】  本考案は、照明器具用の着脱機能を設けた台座に関するものである。
【背景技術】
【０００２】  従来は、ビス・ナット等の部品類を多用して、台座と照明器具本体を連結していた。
【考案の開示】
【考案が解決しようとする課題】
【０００３】  電球の交換、及びソケット、ニップル、スプリングワッシャー、六角ナット、コード等の部品類を取り付ける時に、不便、且つ複雑であった。特に、電球の交換時には電球を直接持つ等の危険要素も多かった。これらの欠点を解決しようとするものである。
【課題を解決するための手段】
【０００４】  本考案は、照明器具本体の内側に複数の凸部を設け、着脱式台座の側面に同数のＬ字型凹部を設け、その両側に手がかりを設けることにより、着脱を容易にした。また、電球の交換、及びソケット、ニップル、スプリングワッシャー、六角ナット、コード等の部品類を取り付ける際に生じていた不便且つ複雑な問題点を解決している。
【考案の効果】
【０００５】  従来は、ビス・ナット等の多数の部品類を使用し、台座部分を照明器具本体に直接固定していたことで、電球の交換、及びソケット、ニップル、スプリングワッシャー、六角ナット、コード等の部品類の取り付けが複雑であった。本考案は、部品数が少なく、且つ着実に固定できる着脱式台座で、電球の交換、及びソケット、ニップル、スプリングワッシャー、六角ナット、コード類等の部品の取り付けも簡単且つ安全にできる。
【考案を実施するための最良の形態】
【０００６】  照明器具本体の内側に複数の凸部を設け、円形の台座の側面にも同数のＬ字型凹部を設け、装着時には本体の内側に円形の台座を挿入し、半回転させることにより照明器具本体と台座を容易に固定できる。
台座の中央部分に、ニップル、コード類用の開口部を設け、且つ底面に同心の凹部を設けることにより、ソケット、ニップル、スプリングワッシャー、六角ナット、コード類等の固定を容易にし、また、これらの露出を防いだ。更に、その両側に台座の着脱を容易にする手がかりを設け、電球の交換、及び部品の取り付けを容易にした。
【実施例】
【０００７】  以下、添付図面に従って一実施例を説明する。１は照明用着脱式台座本体。２はＬ字型凹部。３はニップル、コード類用開口部。４は着脱用手がかり。【０００８】  着脱式台座１底部の４の凹部に指を入れ、２を照明器具本体内側の凸部に合わせ挿入し、時計周りに半回転させ、着脱式台座を本体と固定する。【０００９】  本考案の一実施例は上述の如き構成からなるものであるから、４の凹部に指を入れ、反時計方向に半回転させることにより、容易に外すことが出来る。
【図面の簡単な説明】
【００１０】
【図１】本考案の着脱式台座を示す上面図である。
【図２】本考案の着脱式台座を示す側面図である。
【図３】本考案の着脱式台座を示す底面図である。
【符号の説明】
【００１１】  １  着脱式台座本体
２  Ｌ字型凹部
３  ニップル、コード類用開口部
４  着脱用手がかり凹部
【図１】
0003119067.tif 000003
【図２】
0003119067.tif 000004
【図３】
0003119067.tif 000005